(57)【要約】      （修正有）【課題】ユーザがカスタマイズしたインプライド確率分布を利用する電子取引システム及び該システムのためのグラフィカルユーザインターフェイスを提供する。【解決手段】コンピュータ実装取引システム１００であって、資産のオプションのリアルタイム価格から導出される、取引可能資産の先物価格のマーケットインプライド確率分布を計算してそのグラフィック表現を表示し、ユーザが、ある価格帯に資産の先物価格が含まれる確率に関するユーザの独自の見識を反映するようにマーケットインプライド確率分布グラフをカスタマイズできるようにし、オプションの組み合わせとして実装される、カスタマイズされた確率分布（存在する場合）を前提として利益をもたらすように最適化された最適な取引戦略を提案する。組み合わせ注文は、ユーザによって修正及び／又は追加することができる。【選択図】図１
2019050025.tif 000002
【特許請求の範囲】
【請求項１】
インプライド確率分布を適用して、ユーザがカスタマイズできる電子注文を生成するためのコンピュータ実装方法であって、
１又は２以上の電子データプロバイダから原資産のオプションの価格を電子的に受け取るステップと、
１又は２以上のプロセッサを使用し、前記オプションの価格に基づいて、先物期日時点における前記原資産の価格のマーケットインプライド確率分布を計算するステップと、
前記マーケットインプライド確率分布（ＭＩＰＤ）をユーザコンピュータ装置のグラフィカルユーザインターフェイス上に表示するステップと、
前記グラフィカルユーザインターフェイスから前記ＭＩＰＤの少なくとも一部を修正するユーザ入力を受け取るステップと、
１又は２以上のプロセッサを用いて、前記ユーザ入力に基づくカスタマイズされた確率分布（ＣＰＤ）を生成するステップと、
前記ＣＰＤを表示するステップと、
１又は２以上のプロセッサを用いて、前記ＣＰＤに基づき、複数の要素取引を含む１又は２以上の取引戦略を生成するステップと、
前記１又は２以上の取引戦略を前記ユーザに提示するステップと、
前記取引戦略のうちの１つの取引戦略の選択を受け取るステップと、
前記選択された戦略の前記要素取引のための電子注文を１又は２以上の電子マーケットに対して開始するステップと、
を含むことを特徴とする方法。
【請求項２】
前記選択された戦略の１又は２以上のパラメータを修正するステップをさらに含み、前記要素取引のための前記電子注文は、前記修正されたパラメータを反映する、
請求項１に記載の方法。
【請求項３】
前記取引のための、ユーザが指定したレッグ数を受け取るステップをさらに含み、前記取引のための前記１又は２以上の提案注文は、前記ＣＰＤ及び前記ユーザが指定したレッグ数に基づく、
請求項１に記載の方法。
【請求項４】
前記先物期日は、前記グラフィカルユーザインターフェイスを用いて前記ユーザによって指定される、
請求項１に記載の方法。
【請求項５】
前記ＭＩＰＤを表示するステップは、複数のバーを含む棒グラフとして前記ＭＩＰＤを表示するステップを含み、各バーは、前記資産の２つの価格によって定められた幅と、前記資産の前記価格が前記２つの価格内に収まる確率を表す高さとを有し、１又は２以上のバーの前記高さは、前記ユーザによって調整可能である、
請求項１に記載の方法。
【請求項６】
前記ユーザ入力は、前記ユーザがポインティングデバイスを用いて少なくとも１つのバーの高さを修正することを通じて受け取られる、
請求項５に記載の方法。
【請求項７】
前記ユーザ入力は、前記グラフィカルユーザインターフェイス上の事前設定制御要素をユーザがアクティブにしたことを通じて受け取られる、
請求項５に記載の方法。
【請求項８】
前記ＣＰＤを生成するステップは、前記ユーザが高さを調整した前記バーの近くの１又は２以上のバーの高さを調整するステップをさらに含む、
請求項５に記載の方法。
【請求項９】
前記取引の前記レッグ数は、前記ユーザによって前記グラフィカルユーザインターフェイス上で選択される、
請求項１に記載の方法。
【請求項１０】
前記１又は２以上の提案注文のうちの少なくとも１つのユーザ選択を受け取るステップをさらに含む、
請求項１に記載の方法。
【請求項１１】
前記提案注文の各々は、１又は２以上のパラメータを含み、前記方法は、選択された提案注文の前記パラメータのうちの少なくとも１つを修正するユーザ入力を受け取るステップをさらに含む、
請求項１０に記載の方法。
【請求項１２】
１又は２以上の注文条件のためのユーザ入力を受け取るステップをさらに含む、
請求項１０に記載の方法。
【請求項１３】
前記注文を履行のために電子証券取引所に送信するステップをさらに含む、
請求項１２に記載の方法。
【請求項１４】
前記ＭＩＰＤを生成するステップは、
（ａ）オプションのクォートを、上場されたストライクにつき１つの予想変動率の組に変換するステップと、
（ｂ）前記予想変動率の組を平滑化してノイズを低減するステップと、
（ｃ）前記予想変動率の組を前記ＭＩＰＤに変換するステップと、
をさらに含む請求項１に記載の方法。
【請求項１５】
金融商品の原資産の先物価格のインプライド確率分布に基づいて前記金融商品の取引を容易にするための、１又は２以上のユーザコンピュータ及び１又は２以上の電子マーケットに通信可能に結合されたコンピュータシステムであって、
非一時的コンピュータ可読メモリ上のプログラムに従って構成された１又は２以上のコンピュータプロセッサを備え、前記プログラムは、前記１又は２以上のコンピュータプロセッサを、
前記金融商品の前記原資産の先物価格のマーケットインプライド確率分布を生成する１又は２以上の確率モジュール、
前記インプライド確率分布に基づいて、前記ユーザコンピュータ上に表示するグラフを生成する１又は２以上のグラフ生成モジュール、
ユーザ入力及びマーケットデータに応答して１又は２以上の好ましい取引戦略を識別する１又は２以上の推奨戦略生成モジュール、及び、
前記電子マーケットに提出するための前記選択された戦略を含む前記電子注文を生成する１又は２以上の戦略注文生成モジュール、
として構成する、
ことを特徴とするシステム。
【請求項１６】
金融商品の原資産の先物価格のインプライド確率分布に基づいて１又は２以上の金融商品の取引を容易にするグラフィカルユーザインターフェイス（ＧＵＩ）を制御するためのコンピュータシステムであって、前記コンピュータシステムは、プロセッサと、該プロセッサと通信するディスプレイと、前記ＧＵＩとを備え、該ＧＵＩは、
前記原資産を識別するための入力データフィールドと、
分析すべき先物期日を識別するための入力データフィールドと、
前記先物期日時点における前記原資産の価格のマーケットインプライド確率を表示するマーケットインプライド確率分布（ＭＩＰＤ）グラフと、
を含み、前記ＭＩＰＤは、複数の価格間隔と、前記先物期日時点における前記原資産の前記価格が前記価格間隔内に収まることに関連する確率とを含み、前記確率は、ユーザによってカスタマイズ可能な先物価格間隔に関連し、ＧＵＩは、
前記ユーザによってカスタマイズされた、前記先物期日時点における前記原資産の価格間隔に関連する確率を表示するカスタマイズされた確率分布（ＣＰＤ）グラフをさらに含む、
ことを特徴とするシステム。
【請求項１７】
前記ＭＩＰＤグラフは、前記ＭＩＰＤ内の潜在的価格のサブセットを含む、
請求項１６に記載のシステム。
【請求項１８】
前記潜在的価格のサブセットは、１００％の確率未満の集計確率を反映する、
請求項１７に記載のシステム。
【請求項１９】
前記潜在的価格のサブセットは、下位及び上位の価格間隔を省略する、
請求項１８に記載のシステム。
【請求項２０】
前記ＣＰＤグラフは、ユーザがカスタマイズした確率と、該ユーザがカスタマイズした確率に基づいて前記コンピュータシステムが自動的にカスタマイズした１又は２以上の確率とを表示する、
請求項１６に記載のシステム。
【請求項２１】
前記ユーザがカスタマイズした確率は、１つの方向のカスタマイズを反映し、前記コンピュータシステムが自動的にカスタマイズした前記１又は２以上の確率は、前記方向のカスタマイズとその逆方向のカスタマイズとを反映する、
請求項２０に記載のシステム。
【請求項２２】
前記ＧＵＩは、
１又は２以上の金融商品を含む１又は２以上の自動的に生成された好ましい取引戦略の表示と、
戦略を選択するための入力と、
前記選択された戦略を含む要素注文の表示と、
前記要素注文を１又は２以上の電子マーケットに提出するための入力と、
をさらに含む請求項１６に記載のシステム。
【請求項２３】
前記ＧＵＩは、前記ユーザが前記表示された要素注文を修正するための１又は２以上の入力を含む、
請求項２２に記載のシステム。
【請求項２４】
前記ＧＵＩは、前記選択された戦略に前記ユーザがさらなる要素注文を追加するための１又は２以上の入力を含む、
請求項２２に記載のシステム。
【発明の詳細な説明】
【技術分野】
【０００１】
〔関連出願との相互参照〕
本出願は、２０１３年１０月２９日に出願された米国仮特許出願第６１／８９７，１１８号の合衆国法典第３５編第１１９条（ｅ）に基づく利益を主張するものであり、この仮特許出願はその全体が引用により本明細書に組み入れられる。
【０００２】
本発明は、電子証券取引システムに関し、具体的には、金融商品の原資産の先物価格のリアルタイムインプライド確率分布を表示してカスタマイズするグラフィカルユーザインターフェイスを有する、１又は２以上の金融商品を取引するためのコンピュータ実装システムに関する。
【背景技術】
【０００３】
あるオプションの現在の取引価格は、そのオプションの原資産が何らかの先物期日に予想価格範囲内に収まることに対してマーケットが付けた確率を反映する。例えば、株式におけるプット及びコールオプションの価格は、このような株式の価格の確率分布によって決まる。
【発明の概要】
【発明が解決しようとする課題】
【０００４】
しかしながら、このような原資産（例えば、株式）の価格の確率分布と金融商品（例えば、オプション）の価格との関係に関わらず、従来、このような確率分布に基づいて取引を行うための、さらにはこのような確率分布をカスタマイズし、このようなカスタマイズされた確率分布に基づいて金融商品を取引するための効率的なツールをユーザに提供する電子取引システムは存在していない。
【課題を解決するための手段】
【０００５】
以下の説明及び開示する主題の実践から、開示する実施形態の利点が明らかになるであろう。本明細書に開示するシステム及び方法は、オプション又はその他のデリバティブ、並びに株式、上場投資信託（ＥＴＦ）、商品、通貨及びその他の原資産などの原資産に当てはまる。本発明の実施形態は、現在のマーケット価格から導出される原資産の確率分布をグラフィック表示し、マーケットの確率分布を、例えばユーザの独自の確率分布推定を反映するようにカスタマイズし、このカスタマイズされた確率分布に基づいて、原資産のオプション又はその他のデリバティブの１又は２以上の好ましい取引を決定してユーザに提示し、１又は２以上の好ましい取引を電子マーケットに提出する、柔軟、単純かつ効率的なツールをユーザに提供する。ユーザのための好ましい取引の決定は、ユーザがカスタマイズした確率分布に基づく確率密度関数（「ＰＤＦ」）を前提として予想収益を最適化することに基づいて行うことができる。
【０００６】
一般に、本明細書で説明する実施形態は、コンピュータ実装方法、及びユーザインターフェイスを含むシステムを含み、これらの方法及びシステムは、（ａ）資産のオプションのリアルタイム価格から導出される、取引可能資産の先物価格のマーケットインプライド確率分布を計算してそのグラフィック表現を表示し、（ｂ）ユーザが、ある価格帯に資産の先物価格が含まれる確率に関するユーザの独自の見識を反映するようにインプライド確率分布グラフをカスタマイズできるようにし、（ｃ）オプション（或いは他のデリバティブ、又は株式レッグを伴うオプション注文）の組み合わせとして実装される、カスタマイズされた確率分布（存在する場合）がマーケット価格から導出された確率分布よりも正確であることを前提として利益をもたらすように最適化された最適な戦略を提案する。さらなる実施形態では、さらにこれらのシステム及び方法が、（ｄ）ユーザが、原資産において１又は２以上の注文を追加することを含め、提案された注文の組み合わせのレッグを修正できるようにし、（ｅ）提案（又は修正）された注文の組み合わせの潜在的な損益結果のグラフィック表現をユーザに提示し、（ｆ）例えば、デルタ、ガンマ、ベガ、セータ及びローのうちの１つ又は２つ以上を含む、提案（又は修正）された注文の組み合わせに関連するリスク指標のグラフィック表現をユーザに提示し、及び／又は（ｇ）提案（又は修正）された注文の組み合わせを直接マーケットに提出する。さらに、本明細書で説明するものを含む様々な任意の特徴を利用し、及び／又はユーザに提示することもできる。
【０００７】
以下の添付図面を参照しながら、本発明の実施形態を一例として詳細に説明し図示する。
【図面の簡単な説明】
【０００８】
【図１】本発明の実施形態によるコンピュータ実装取引ネットワークの概略図である。
【図２】本発明の一実施形態によるグラフィカルユーザインターフェイスのスクリーンショットである。
【図３】本発明の一実施形態によるグラフィカルユーザインターフェイスのスクリーンショットである。
【図４Ａ】本発明の一実施形態によるグラフィカルユーザインターフェイスのスクリーンショットである。
【図４Ｂ】本発明の一実施形態によるグラフィカルユーザインターフェイスのスクリーンショットである。
【図４Ｃ】本発明の一実施形態によるグラフィカルユーザインターフェイスのスクリーンショットである。
【図４Ｄ】本発明の一実施形態によるグラフィカルユーザインターフェイスのスクリーンショットである。
【図４Ｅ】本発明の一実施形態によるグラフィカルユーザインターフェイスのスクリーンショットである。
【図４Ｆ】本発明の一実施形態によるグラフィカルユーザインターフェイスのスクリーンショットである。
【図４Ｇ】本発明の一実施形態によるグラフィカルユーザインターフェイスのスクリーンショットである。
【図４Ｈ】本発明の一実施形態によるグラフィカルユーザインターフェイスのスクリーンショットである。
【図５Ａ】本発明の一実施形態によるグラフィカルユーザインターフェイスのスクリーンショットである。
【図５Ｂ】本発明の一実施形態によるグラフィカルユーザインターフェイスのスクリーンショットである。
【図５Ｃ】本発明の一実施形態によるグラフィカルユーザインターフェイスのスクリーンショットである。
【図５Ｄ】本発明の一実施形態によるグラフィカルユーザインターフェイスのスクリーンショットである。
【図５Ｅ】本発明の一実施形態によるグラフィカルユーザインターフェイスのスクリーンショットである。
【図５Ｆ】本発明の一実施形態によるグラフィカルユーザインターフェイスのスクリーンショットである。
【図５Ｇ】本発明の一実施形態によるグラフィカルユーザインターフェイスのスクリーンショットである。
【図６】本発明の一実施形態によるフローチャートである。
【図７】本発明の別の実施形態によるグラフィカルユーザインターフェイスの画面である。
【発明を実施するための形態】
【０００９】
本発明の基本的な新規の特徴をその例示的な実施形態に適用した形で図示し説明するが、当業者であれば、本発明の思想から逸脱することなく、開示する本発明の実施形態の形態、特徴及び詳細の省略、置換及び変更を行うことができると理解されたい。この点、本明細書における実施形態は例示にすぎず、様々な特徴及び実装の詳細の省略、組み合わせ及び（異なる実施形態からのものを含む）置換及び／又は修正を、全て本発明の思想から逸脱することなく行うことができると理解されたい。
【００１０】
当業者であれば理解するように、本発明の実施形態は、あらゆる数の異なるコンピュータ及び／又はネットワークベースの技術を用いて実装することができる。まず図１に、一般に１又は２以上のバックエンドサーバ１０５及びワークステーション（１、２、．．．ｎ）１３０を含むコンピュータ実装取引システム１００の実施形態を示す。一般に、バックエンドサーバ１０５は、ワークステーション１３０と電子マーケット（１、２．．．ｋ）１４０との間の仲介装置の役割を果たし、ワークステーション１３０から取引注文明細を受け取り、これらを処理し、これらに基づく取引注文を電子マーケット１４０に提出する。また、バックエンドサーバ１０５は、電子マーケット１４０から注文履行情報を受け取り、この履行情報を処理し、ワークステーション１３０に履行詳細を提供する。また、バックエンドサーバ１０５は、このような機能の実行時に、マーケットデータプロバイダシステム（１、２、．．．ｍ）１５０から証券の現行市場価格などのマーケットデータを受け取って利用する。
【００１１】
本実施形態は、株式のオプションを対象にしているが、他の金融商品及び原資産には別の実施形態を適用することができる。従って、電子マーケット１４０は、ニューヨーク証券取引所ユーロネクスト、ボストンオプション取引所、シカゴ・マーカンタイル取引所（ＣＭＥ）、ナスダック、ニューヨーク・マーカンタイル取引所、ＦＴＳＥ、電子証券取引ネットワーク（ＥＣＮ）、ＰＯＳＩＴ及びＬＩＱＵＩＤＮＥＴによって運営されるような流動性プールなどによって提供されるものなどの、有価証券取引のためのあらゆるマーケット又は取引所を含むことができる。
【００１２】
バックエンドサーバ１０５は、本明細書で説明する機能を提供する上で、リードオンリメモリ、（例えば、ＲＡＩＤ構成の）ハードディスク、テープドライブ、フラッシュメモリ、光ディスク、ネットワークストレージ、或いはその他の既知の又は今後開発される技術などのコンピュータ可読媒体に記憶されたソフトウェア、ファームウェア又は他のコンピュータプログラムに従って動作するプロセッサを含む。サーバ１０５（及びそのプロセッサ）は、様々な機能要素又はモジュールを含むように構成又は編成できるソフトウェア（コンピュータ可読命令）に従って動作するように構成することができる。サーバ１０５は、一般に当業者に知られている電子取引システム及び通信システムのコンポーネントに加え、本明細書で説明する確率及び確率分布関数を生成する（単複の）確率モジュール１１０、本明細書で説明するグラフを生成して修正する（単複の）グラフ生成モジュール１１２、ユーザ入力及びマーケットデータに応答して１又は２以上の好ましい戦略を生成及び／又は識別する（単複の）推奨戦略生成モジュール１１４、（ユーザが修正できる）システム１００が識別した戦略の成果を決定して表示する（単複の）戦略成果モジュール１１６、及び（ユーザが修正できる）選択された戦略を含む電子注文を生成する（単複の）戦略注文生成モジュール１１８などの（例えば、ソフトウェア又はファームウェアモジュールとして実装される）特殊なエンジン又はモジュールを含むことができる。サーバ１０５は、電子マーケット１４０に電子注文を転送する（単複の）スマートルータモジュール１２０を含むこともできる。
【００１３】
サーバ１０５は、本明細書で説明する機能及び動作を実行する上で、ランダムアクセスメモリ、（例えば、ＲＡＩＤ構成の）ハードディスク、テープドライブ、フラッシュメモリ、光ディスク、ネットワークストレージ又はその他の既知の又は今後開発される技術などのコンピュータメモリ内の記録及びデータにアクセスすることもできる。一例として、バックエンドサーバ１０５は、電子データベース１２５を含み、又は電子データベース１２５と通信する。当業者には本明細書の説明から明らかなように、データベース１２５は、複数の関連テーブルを有するリレーショナルデータベースを含むことができる。いくつかの実施形態では、例えば、データベース１２５が、通常は電子取引システムに記憶されるデータと、本明細書で説明する取引を行う際に使用する情報とを記憶し、アカウントテーブル、マーケットテーブル、ポジションテーブル及び注文テーブルを含むことができる。
【００１４】
一般に、アカウントテーブルは、一意のアカウント識別子（ＩＤ）によって識別される各マーケット参加者のアカウントと、例えば、連絡先情報、銀行情報、取引限度、及び関連性があると見なされる他のいずれかの情報、並びに各アカウントの下で取引しているユーザ（及び関連ワークステーション１３０）の指示を含む、関連するマーケット参加者とを識別する情報を記憶する。例えば、システム１００は、ユーザを特定のマーケット及び／又は特定の時間の取引に制限する限度を記憶することができる。各ワークステーション１３０は、一意の端末ＩＤ及び／又はインターネットプロトコル（ＩＰ）アドレスによって識別することができ、各ユーザは、ユーザがワークステーション１３０及び／又はシステム１００にログインするために使用する一意のユーザ名及び／又はパスワードによって識別することができる。バックエンドサーバ１０５は、端末ＩＤ及びユーザ名／パスワードを用いて、入ってきた注文を特定のワークステーション１３０及び／又はユーザが送信したものとして識別し、関連付け、注文を処理し、適当なワークステーション１３０に送出メッセージを送信することができる。アカウント保有者及びユーザは、例えば、一般及び個人投資家、機関投資家、銀行、値付け業者、ブローカー−ディーラー、又はその他のエンティティを含むことができる。
【００１５】
１又は２以上のマーケットテーブルは、連絡先及びルーティング情報、取引スケジュール及びその他の情報などの、一意のマーケットＩＤによって識別されるマーケット１５０の各々に関する詳細を含むことができる。
【００１６】
データベース１２５は、アカウント及びユーザのポジションを記憶する１又は２以上のテーブルを含むこともできる。このようなテーブルは、各証券における各ユーザ及びアカウントの集計ポジション（ａｇｇｒｅｇａｔｅ  ｐｏｓｉｔｉｏｎｓ）の指示を含むことができる。
【００１７】
データベース１２５は、各ユーザを取引戦略に関連付け、各取引戦略をその要素注文（ｃｏｍｐｏｎｅｎｔ  ｏｒｄｅｒ）に関連付けることを含めて取引及び注文詳細を記憶する１又は２以上のテーブルを含むこともできる。例えば、データベース１２５は、ユーザ及び／又はアカウントを（一意のＩＤによって識別される）戦略に関連付けるユーザ又はアカウントテーブルと、各戦略を（一意の注文ＩＤによって識別される）その注文に関連付ける戦略テーブルとを含むことができる。各注文に関連する注文パラメータは、同じテーブルが含むことも、或いは１又は２以上の他のテーブルが含むこともできる。このようなテーブルは、各注文の状況（例えば、保留中であるか、満たされているか、キャンセルすべきか、それとも修正すべきか）、及び発注に関連する詳細（例えば、発注先の特定の電子マーケット１４０、注文日時及びその他の詳細）などの、必ずしもユーザによって提供されるとは限らない注文パラメータを追跡することもできる。
【００１８】
上述したテーブルは例示にすぎず、さらに多くの又は少ない情報を望むようにサーバ１０５及び／又はシステム１００に記憶して追跡することもできると理解されたい。さらに、このようなデータは、サーバ１０５から離れてワークステーション１３０などにいずれかの情報を記憶することを含め、あらゆる分類で、あらゆる数のデータベース及び／又はテーブルに記憶することができる。また、全ての情報を記憶するのではなく、システム１００が利用できる他の情報に基づいて、いくつかの情報をリアルタイムで生成することもできる。
【００１９】
また、一般に、ワークステーション１３０、サーバ１０５、電子マーケット１４０及びマーケットデータプロバイダシステム１５０などの、本明細書で説明するコンピュータシステムは、本明細書で説明するようなコンピュータシステムの動作を管理するために必要な機能を実行するための、非一時的メモリ内のコンピュータ命令又はコードに従ってプログラムによって構築又は構成された１又は２以上のコンピュータを含むと認識されたい。当業者であれば、これらのコンピュータシステムは、動作に必要なトラフィックと処理ニーズとを同時にサポートするために別個に又は並行して使用できるあらゆる数及び構成の異なるコンピュータ及び電子データベースを設計事項として含むと認識するであろう。１つの実施形態では、複数のサーバを使用する場合、バックエンドサーバ１０５が、ラウンドロビン構成を用いてユーザ及び／又は電子マーケットを取り扱うように構成される。図示してはいないが、一般にこれらのコンピュータシステムの１又は２以上のコンピュータは、以下に限定されるわけではないが、プロセッサ、ＲＡＭ、ＲＯＭ、クロック、ハードウェアドライバ及び関連ストレージなどを含む、通常このようなコンピュータシステムに含まれるようなコンポーネントを含む。
【００２０】
一般に、各ワークステーション１３０は、特別にプログラムされた汎用コンピュータ、専用コンピュータ、或いはコンピュータ可読媒体に記憶されたソフトウェア、ファームウェア又はその他のプログラムに従って本明細書で説明する機能を提供するように動作する（ＰＤＡ、スマートフォン、タブレット又はその他のモバイル装置などの）他のコンピュータ装置とすることができる。例えば、以下でさらに詳細に説明するように、各ワークステーション１３０は、ユーザがシステム１００及びサーバ１０５とやりとりして、これらによって提供される機能を使用できるように、複数のグラフィカルユーザインターフェイス（ＧＵＩ）をユーザに提供するようにプログラムすることができる。本実施形態では、ワークステーション１３０が、ＦＩＸプロトコルの拡張として情報をパッケージ化してサーバ１０５に送信し、サーバ１０５から情報を受け取るＪＡＶＡ（登録商標）ベースのＧＵＩである。いくつかの実施形態では、ワークステーション１３０におけるコンピュータ可読媒体内のソフトウェア又は他のプログラムが、例えば、ユーザに注文チケットを提供し、本明細書に開示する注文パラメータ及び条件を含むユーザ入力を受け取り、これらのパラメータ及び条件を評価し、要素注文を生成し、これらの要素注文を（例えば、ＦＩＸプロトコルで）電子マーケット１４０及び／又はサーバ１０５に送信し、ローカルバージョンのデータベース内で注文進捗を追跡するという１又は２以上のモジュールの機能などの、サーバ１０５によって提供されるはずの機能を提供する。別の実施形態では、ＧＵＩが、バックエンドサーバ１０５によって、例えばメモリ内のインターフェイスソフトウェアコンポーネント又はモジュールによって生成される。このような実施形態では、バックエンドサーバが、ＧＵＩを提供するウェブサーバをさらに含むことができ、システムは、一般にアプリケーションサービスプロバイダ（ＡＳＰ）として動作することができる。
【００２１】
さらに、本明細書で説明するサーバ１０５、ワークステーション１３０、電子マーケット１４０、及びマーケットデータプロバイダシステム１５０の各々は、本明細書で説明する他のコンポーネントと通信するネットワーク接続を有することができる。このネットワーク接続は、システムが他のシステム及びユーザ装置と通信できるインターネット又は他のいずれかの通信ネットワークへのゲートウェイインターフェイスとすることができる。サーバ１０５は、インターネットなどの同じネットワークを介して、或いはインターネット、ＷＡＮ、ＬＡＮ、ＶＰＮ又はその他の通信リンクなどの別個のネットワークを介して他のタイプの各コンポーネントと通信することができる。ネットワーク接続は、（いずれかの既知の又は今後開発される通信速度の）従来のモデム、オープンライン接続（例えば、デジタル加入者回線又はケーブル接続）、衛星受信機／送信機、無線通信受信機／送信機、又は当業において現在知られている又は将来的に知られる他のいずれかのネットワーク接続装置を用いて通信ネットワークに接続することができる。当業者であれば、ユーザインターフェイスの表示、及びユーザに対する情報の提供又は表示は、以下に限定されるわけではないが、ユーザにインターフェイスを提供又はプッシュすること、ワークステーション１３０に１又は２以上のアプリケーションプログラミングインターフェイス（ＡＰＩ）を公開すること、及びサーバ１０５からのトリガの受信時又はワークステーション１３０におけるユーザからの入力時にワークステーション１３０においてインターフェイスをローカルに記憶し、及び／又は生成することを含む多くの方法で、本発明の範囲内において行うことができると理解するであろう。また、バックエンドサーバ１０５は、いずれかのプロトコル又はフォーマットを用いてワークステーション１３０及び電子マーケット１４０と通信することができる。いくつかの実施形態では、関連するコンピュータシステムが、特定の帯域幅又はセキュリティ問題に対応するように必要に応じてパケット化、暗号化又はフォーマットすることができる１又は２以上のメッセージに通信すべき情報が含まれるメッセージングシステムを用いて通信することが好ましい。メッセージは、ＸＭＬ又はその他のメッセージタイプを使用することができ、金融業界におけるＦＩＸなどの１又は２以上のメッセージ標準に基づくことも、或いは専用プロトコル又はフォーマットに基づくこともできる。
【００２２】
「接続」、「通信」又は「リンク」についての言及は、様々なコンピュータが常に接続又は通信しているのではなく、接続の確立時に通信できることを意味すると理解されるであろう。例えば、ワークステーション１３０は、非セキュアなインターネット接続を用いて時々サーバ１０５に「接続」してマーケット価格又は関連情報をチェックすることができる。
【００２３】
本明細書で説明する機能は、あらゆる数の様々なソフトウェア及びデータベース構成を用いて実装することができると理解されたい。例えば、いくつかの実施形態では、１又は２以上のサーバが、確率及び確率密度関数を計算し、ユーザ入力に基づいてマーケットインプライド確率分布を修正してカスタマイズし、データを生成してチャート化し、好ましい又は最適な取引の組み合わせを決定し、（例えば、Ｊａｖａベースのアプリケーションを実行する）トレーダ端末がこのような情報を表示してトレーダの入力を（単複の）サーバに転送するが、別の実施形態では、処理ステップのいずれか１つ又は２つ以上をトレーダ端末に移行して、サーバの必要性を低減又は排除することもできる。
【００２４】
上述したように、各ワークステーション１３０は、（例えば、ローカルＲＯＭ内の）ソフトウェアに従ってユーザにグラフィカルユーザインターフェイス（ＧＵＩ）を提供するように動作する。添付の図２〜図５に示すように、一般に本実施形態のトレーダ端末１３０のＧＵＩは、一般に確率分布を表示してユーザが図形的にカスタマイズできるようにする確率分布ビルダ１０００、一般に１又は２以上の自動的に生成された好ましい取引戦略を表示してユーザがいずれか１つ又は２つ以上の戦略を選択できるようにする戦略セレクタ２０００、一般に取引戦略（例えば、オプション戦略）を自動的に表示して、ユーザが取引戦略レッグの修正及び提出を行えるようにする戦略調整／注文入力３０００、並びに一般に複数のメトリクスのいずれかに従って取引戦略の予想成果を表示する戦略成果詳細４０００という４つのウィンドウ又はパネルを含む。パネルは縦方向に配置されているが、実施形態によっては異なるように配置することも、或いはユーザによって配置又はサイズを変更することも、或いは異なる時点で（例えば、逐次に）提示することもできる。さらに、説明する実施形態は、ディスプレイ（例えば、モニタ）及びマウスインターフェイスを備えたユーザコンピュータを検討するものであるが、グラフィカルユーザインターフェイスは、タブレット、スマートフォン、又は異なるインターフェイス装置（例えば、タッチ画面）などの他の装置上に表示することもできる。以下、パネルの様々な特徴について説明する。
【００２５】
確率分布ビルダパネル（１０００）は、以下を含むことができる。
ａ）株式などの原資産の取引記号（例えば、ＴＳＬＡ）を入力するための入力データフィールド又はプルダウン（又はドロップダウン）メニュー（１０１０、図２）。
ｂ）分析する先物期日を入力するための入力データフィールド又はプルダウンメニュー（１０２０、図２）。このドロップダウンメニュー（１０２０、図２）には、原資産（図示、ＴＳＬＡ）に関連するオプション契約の満期日を自動的に投入しておくことができる。
ｃ）行動の取り消し及びやり直しのための入力ボタン（１０４０及び１０５０、図２）を設けることもできる。
ｄ）双方向マーケットインプライド確率分布（ＭＩＰＤ）を表示するＭＩＰＤグラフ（１０６０、図２）。このグラフは、（水平軸上に示されている）価格帯が選択日時点に存在する確率を（垂直軸上に）表す。Ｘ軸上には、原資産の価格間隔又は価格帯が、例えば均一幅（例えば、Ｘドル）で、或いは別の実施形態では可変幅又はユーザが定義できる幅で表示される。Ｙ軸上には、標準幅毎の確率がパーセントで表示されてカーソルの動きを追う（１０８０、図３）。以下でさらに詳細に説明するように、ユーザは、グラフ上の表示された価格帯内の一点をクリックし、確率を上向きにドラッグして、その範囲内に価格が収まると思われる確率を上げ、或いは下向きにドラッグして、その範囲内に価格が収まると思われる確率を下げることによってＭＩＰＤグラフをカスタマイズすることができる（１０７０、図３）。システムは、カスタマイズ（修正）後の確率分布を再計算して自動的に表示することにより、カスタマイズされた確率分布（ＣＰＤ）グラフを表示することが好ましい。図３に示すように、ＭＩＰＤ（１０９０）及びＣＰＤ（１１００）は、いずれも例えば異なる色で同時に表示されることが好ましい。
ｅ）グラフをマーケットインプライド確率分布にリセットするための入力ボタン（１０５５、図２）。
ｆ）リアルタイムに更新される原資産の最終売価を表示することもできる。
ｇ）マーケットインプライド確率分布及びカスタマイズされた確率分布の各々の選択した満期日における原資産の予想価格である先物価格（１１１０、図３）を表示することもできる。
ｈ）例えば、インプライド確率分布及びカスタム確率分布の各々を前提とする現在から満期日までの日々の原資産価格の予想変動の平方根である予想変動率表示（１１２０、図３）。
ｉ）システムが生成する戦略にユーザが含めたいレッグ数（例えば、２、３又は４）を入力又は選択するための入力フィールド又はプルダウンメニュー（１１３０、図３）。
ｊ）戦略セレクタパネル（２０００）内に表示される好ましい取引戦略のシステムによる生成を開始するためにユーザがアクティブに（例えば、「クリック」）することができる戦略構築ボタン（１１４０、図３）。
【００２６】
戦略セレクタパネル（２０００）は、以下を含むことができる。
ａ）（「戦略構築」ボタン（１１４０）がアクティブになった後にシステムによって生成される）最適戦略、及び各戦略についての以下の情報の表示。
ｉ．カスタム確率分布によって示唆される予想利益（２０１０、図４Ａ）
ｉｉ．取引戦略の単位偏差当たりの超過収益（リスクプレミアム）の指標であるシャープレシオ（２０２０、図４Ａ）。
ｉｉｉ．対応する戦略のための市場性の高い注文の価格（２０３０、図４Ａ）
ｉｖ．ユーザＣＰＤを前提とした利益を得る確率（２０４０、図４Ａ）
ｖ．ユーザＣＰＤを前提とした、例えばドル（２０５０、図４Ａ）及び／又は総投資率（２０６０、図４Ａ）での最大潜在利益
ｖｉ．ユーザＣＰＤを前提とした最大利益を得る確率（２０７０、図４Ａ）
ｖｉｉ．ＭＩＰＤ及び／又はユーザＣＰＤを前提とした、例えばドル単位（２０８０、図４Ａ）での、又は投資率として（２０９０、図４Ａ）の最大潜在損失
ｖｉｉｉ．ユーザＣＰＤを前提とした最大損失を得る確率（２１００、図４Ａ）
ｉｘ．データベースに記憶されている情報に基づいて計算できるユーザの委託保証金（２１１０、図４Ａ）
ｂ）表示された１つの戦略上でユーザがポインタ（マウスカーソル）を動かす（又は別様に戦略の選択を示す）と、ポップアップフローティングウィンドウ又はパネル（２１２０、図４Ａ）内に戦略の要素を表示することができる。別の実施形態では、デフォルト設定によって各戦略の要素をパネル２０００内に自動的に提供することができる。
ｃ）対応する戦略を選択して戦略調整／注文入力パネル（３０００）内に表示するためにユーザがアクティブにすることができる、各表示された戦略に対応する選択ボタン又はチェックボックス（２１３０、図４Ａ）。
【００２７】
戦略調整／注文入力パネル（３０００）（例えば、図４Ａ〜Ｈ）は、以下を含むことができる。
ａ）ユーザによって選択された戦略（要素取引又はレッグの組み合わせを反映する「コンボ」取引とも呼ばれる）の要素の表示（３０１０）。
ｂ）例えば、入力フィールド、選択ボックス及び／又はプルダウンメニューを通じて組み合わせ注文の１又は２以上のレッグに以下の修正を行う機能。
ｉ．レッグの削除
ｉｉ．購入／売却行動の変更（３０２０）
ｉｉｉ．数量の変更（３０３０）
ｉｖ．満期日の変更（３０４０）
ｖ．行使価格の変更（３０５０）
ｖｉ．オプションタイプ（プット又はコール）の変更（３０６０）
ｃ）注文タイプ（例えば、指値注文、マーケット注文、相対注文）を指定するための入力フィールド又はプルダウンメニュー（３０７０）。例えば、ユーザは、取引戦略のレッグ毎に異なる注文タイプを選択することができる。
ｄ）注文期間（例えば、日にち、取り消しまで有効（ＧＴＣ））を指定するための入力フィールド又はプルダウンメニュー（３０８０）。
ｅ）より高度な注文条件を指定するための入力フィールド又はプルダウンメニュー（３１００、図４Ｂ；３１２０、３１３０、図４Ｈ）であって、同じ又は別個のウィンドウ内に表示することができ、以下を含む。
ｉ．ユーザが履行のために注文を送りたいマーケット／取引所を指定するための入力フィールド又はプルダウンメニュー
ｉｉ．他の注文タイプ属性（例えば、アイスバーグ）を指定するための入力フィールド又はプルダウンメニュー
ｉｉｉ．追跡目的で注文の参照タイトルを作成するための入力フィールド
ｉｖ．全か無か（ＡＯＮ）の条件を指定するための入力フィールド又はプルダウンメニュー
ｖ．株式レッグを追加する（同じ又は異なる原資産のための追加注文）ための入力フィールド又はプルダウンメニュー
ｖｉ．取引をデルタニュートラルにするための入力フィールド又はプルダウンメニュー（この場合、システムが、取引全体のデルタがゼロに近づくように自動的に取引を修正する）。これは、結果として得られる組み合わせをデルタニュートラルにするために適当なサイズの株式レッグを追加することによって行うことができる。
ｖｉｉ．（データベースに記憶されて更新される）ユーザの現在のポジションに基づいてユーザの現在の初期及び維持委託保証金をチェックできるようにユーザがアクティブにするボタン又はリンクであって、保留中の注文についての委託保証金の影響をプレビューするように構成することができる。
ｆ）（例えば、図４Ｂの「提出」ボタン（３１１０）をユーザがクリックすることによって）履行のための注文を提出するための機能。システムは、各注文を電子証券取引所に送信する前に、図４Ｈに示すように、注文のパラメータ及び条件の概要（３１３０）を表示することができ、ユーザが「提出」ボタン（３１２０）をクリックすると、例えば注文ルーティングアルゴリズムによって決定された形で注文が１又は２以上の電子証券取引所に送信される。
【００２８】
戦略成果詳細パネル（４０００）。
ａ）システムによって生成されユーザによって選択された、或いは戦略調整／注文入力パネル（３０００）を介してユーザによってカスタマイズされた戦略に基づく、オプションの選択された又は異なる満期日（４０３０）のための（例えば、プルダウンメニュー（４０２０）を介して選択できるような）いずれかのメトリクスのグラフィック表現であり、例えば以下を含む。
ｉ．利益／損失（Ｐ／Ｌ）
ｉｉ．デルタ
ｉｉｉ．ガンマ
ｉｖ．ベガ
ｖ．セータ
ｖｉ．ロー
【００２９】
他の実施形態は、マーケットインプライド確率分布（ＭＩＰＤ）及び／又はユーザがカスタマイズした確率分布（ＣＰＤ）に基づく組み合わせの予想変動率（選択可能、４０４０）の計算及び表示を含むこともできる。図５Ａ〜図５Ｇには、グラフィカルユーザインターフェイスの別の表現を示す。
【００３０】
本実施形態のグラフィカルユーザインターフェイスの様々な特徴について説明したが、以下、図６のフローチャートを参照するとともに引き続き図２〜図５を参照しながら、本実施形態においてワークステーションのグラフィカルユーザインターフェイス上でユーザが実行し、これに応答してサーバが実行する例示的な一連の動作について説明する。当業者であれば理解するように、本明細書で説明する例示的な処理及び実施例においては、上記の特徴の一部を明示的に説明していないこともあるが、これらの特徴を組み入れることもできると理解されたい。
【００３１】
６００において、ユーザは、フィールド１０１０に原資産の取引記号を入力する。６１０において、ユーザは、プルダウンメニュー１０２０を介して先物期日を入力する。
【００３２】
６２０において、システムは、ユーザが指定した日付の原資産の価格のＭＩＰＤを（以下でさらに詳細に説明するように）計算し、これを表示させる。（単複の）サーバが確率を計算する実施形態では、原資産及び日付が１又は２以上のサーバに送信される。サーバは、好ましくはリアルタイムデータフィードを介してサーバに提供される、上場オプション及び原資産に関するリアルタイムクォートを用いて、リアルタイムクォートが示唆する日付の原資産のＭＩＰＤを計算し、ユーザのワークステーションコンピュータにデータを提供してＭＩＰＤグラフとして表示されるようにする。いくつかの実施形態では、原資産のクォートが変化すると、サーバは、（例えば、リアルタイムに又は定期的に）ＭＩＰＤデータを再計算し、これをワークステーションに送信して（例えば、リアルタイムに又は定期的に）表示されるようにする。
【００３３】
６３０において、ユーザは、（例えば、価格が１又は２以上の価格帯に収まる確率を調整することによって）ＭＩＰＤを修正し、システムは、このようなユーザ入力に基づいて（本明細書で説明した）ＣＰＤを生成する。本実施形態では、ＣＰＤがワークステーションにおいてローカルに生成されるが、別の実施形態では、ユーザの修正がサーバに提供されたことに基づいてサーバによってＣＰＤが生成される。
【００３４】
６４０において、ユーザは、システムによって提示される１又は２以上の戦略の各々の最大レッグ数を指定することができる。本実施形態では、デフォルトレッグ数が２であり、従ってシステムは、各々が２つのレッグを含む１又は２以上の戦略をユーザに提示する。しかしながら、別の実施形態では、各々があらゆる数のレッグを含む１又は２以上の戦略をシステムが生成して表示できるように、異なる数のレッグをデフォルトとして設定することもできると理解されたい。さらに、複数の戦略がユーザに提示される場合、各戦略は、（ユーザが選択することも、又はシステムが定義することもできる）同じ又は異なる数のレッグを含むことができる。
【００３５】
６５０において、ユーザは、「戦略を構築」ボタン１１４０をアクティブにして、（サーバに通信（送信）した）ユーザ入力に基づく１又は２以上の戦略をシステムに計算させる。６６０において、システムは、ユーザの戦略構築要求に応答していくつかの好ましい戦略を決定し、これをグラフィカルユーザインターフェイス上に表示させる。
【００３６】
６７０において、ユーザは、表示された戦略から１つの戦略を選択し、システムは、戦略成果パネル（４０００）に成果の詳細を表示する。
【００３７】
６８０において、ユーザは、選択した戦略を調整したいと望む場合、その戦略の１又は２以上のパラメータ（例えば、戦略調整／注文入力パネル（３０００）上に表示されたパラメータのうちの１つ又は２つ以上のパラメータ）を修正することができる。６９０において、ユーザが実際に戦略を修正した場合、この修正がシステムへの入力として用いられ、システムは、更新された戦略の現在の市場価格を決定（更新）して表示し、戦略成果パネル（４０００）内の成果メトリクスを更新する。システムは、ユーザが一次戦略及び１又は２以上の二次戦略を選択したことに基づいて戦略成果パネル（４０００）内の複数の戦略の成果を上書きすることができるので、ユーザは、複数の戦略を修正することができ、その成果を戦略成果パネル（４０００）内に表示することができると理解されたい。
【００３８】
７００において、ユーザは、１又は２以上の注文条件を指定することができる（例えば、示されたデフォルト値を受け入れることができ、この場合、ユーザは何もする必要がなく、或いは戦略又は全体的戦略を含むいずれかの個々の取引のレッグ間の比率、株式取引の追加及びその他の修正などの１又は２以上の条件を変更することもできる）。７１０において、ユーザは、予め指定されたグラフィカルインターフェイス要素（例えば、「送信」ボタン（３１１０））をアクティブにすることにより、（様々な要素注文から成る）十分に指定した注文を電子証券取引所に提出する。
【００３９】
１又は２以上のサーバが確率を計算する実施形態では、原資産及び日付がサーバに送信される。サーバは、好ましくはリアルタイムデータフィードを介してサーバに提供される、上場オプション及び原資産に関するリアルタイムクォートを用いて、リアルタイムクォートが示唆する日付の資産の価格のＭＩＰＤを計算し、ユーザのワークステーションコンピュータにデータを提供してＭＩＰＤグラフとして表示されるようにする。いくつかの実施形態では、原資産のクォートが変化すると、サーバは、（例えば、リアルタイムに又は定期的に）ＭＩＰＤデータを再計算し、これをワークステーションに送信して（例えば、リアルタイムに又は定期的に）表示されるようにする。
【００４０】
上場オプションに関するクォートは、単一の価格ではなく、買呼値と売呼値から成る。また、オプションは、個別の行使価格（又はストライク）のみについて上場される。一連のオプションクォートに一致する確率分布は無限に存在する。１つの実施形態のシステム（例えば、サーバ）は、単一の確率分布候補を表示するために、（ａ）システムが、原資産のクォートを受け取った際に、これらを上場されたストライクにつき１つの予想変動率の組に変換するステップと、（ｂ）例えば、複数の隣接するストライクの予想変動率を二次多項式などの平滑関数に合わせることにより、予想変動率の組を平滑化してノイズを低減するステップと、（ｃ）以下でさらに詳細に説明するように、公式／アルゴリズムを用いて、予想変動率の組を確率密度関数に変換するステップと、（ｄ）添付図に示すように、確率分布を、各上場されたストライクの対間に収まる先物価格の確率としてグラフィック表現するステップと、を用いることができる。
【００４１】
本実施形態では、原資産の一連の確率及び満期日がトレーダのワークステーションに提供される。（例えば、ストライクの数を考慮すると）データ量を技術的に管理することはできないので、サーバ又はワークステーション（ワークステーション上のユーザインターフェイスアプリケーション）は、表示するデータの量を削減又は制限することができる。例えば、ストライクの一部のみ（例えば、１００％の確率ではなく９６％の確率を表すもの）をサーバが送信し、又はトレーダのワークステーションが選択的に表示して、これよりも下位及び上位のストライク又は価格間隔（例えば、最上位及び最下位２％の確率を表すストライク又は価格間隔）を表示しないようにすることができる。いくつかの実施形態では、このようなデータの削減がデフォルト設定によって行われる（例えば、９６％などの予め設定した何らかのパーセンテージ確率を反映するもの、又はユーザが入力を介して指定したパーセンテージ確率にデータを制限する）。従って、本実施形態は、伝送帯域幅及び／又は処理帯域幅及び電力を節約又は削減するという技術的利点を有する。
【００４２】
特にストライクが極めて集中する別の実施形態では、システムが、例えば、６又は７などの予め設定された特定の標準偏差数、又はユーザが指定した標準偏差数によって規定されるような特定数のストライクのみを表示することにより、（「テール」と呼ぶこともできる）確率分布の最下端及び最上端のデータ表示を省略することができる。このようなテールのデータは、存在して非ゼロの確率の場合もあるが、ユーザはこれらをゼロに調整することができる。本実施形態の例示的な図に示すように、最下位及び最上位のストライクは、（非ゼロデータは存在するものの）最初は各々がゼロ確率として示され、その後、ユーザがこれらの各々をＭＩＰＤグラフのカスタマイズの一部として修正することができる。
【００４３】
上述したように、ユーザは、原資産の先物価格が特定の範囲内に入る確率についてのユーザの独自の意見（「カスタム確率分布」又は「ＣＰＤ」）を反映するようにＭＩＰＤグラフを修正することができる。ユーザは、例えば、カーソル／マウス又はその他のインターフェイスを用いてドラッグすることにより、いずれかの価格間隔内の水平バーを上下に動かすことによってＭＩＰＤグラフを修正することができる。グラフは、生成時及び表示時に、棒グラフの各価格間隔区分の高さが確率に対応する（例えば、Ｘ垂直ピクセルが０．０１の確率に等しい）状態でスケール調整されるので、バーを一定の距離（ピクセル数）だけ動かすと、同じ縮尺に基づく移動距離に対応する量だけ確率が変化する。別の実施形態では、ユーザが、例えば価格帯内の確率バーをアクティブにして数値を打ち込むことにより、修正後の確率又は確率の変化量を数値入力することができる。その後、このグラフは、入力された量に基づいて更新される。
【００４４】
ユーザが、ある価格間隔内（例えば、２つのストライク間）で確率バーを変更すると、システム（すなわち、本実施形態ではサーバ、或いはサーバ及び／又はワークステーション）は、全確率が１．００（１００％）を保つことを保証するように他の価格間隔の確率を自動的に調整する。換言すれば、ユーザが価格間隔の確率をＸだけ増加させた場合、システムは、１．００（１００％）の全確率を維持するように、１又は２以上の他の価格間隔に関連する確率をＸだけ低下させることができる（逆もまた同様）。システムは、適度な曲線形状を保つように他の価格間隔内（他のストライク間）の確率値を調整することもできる。例えば、ある価格間隔に関連する確率をユーザが調整するいくつかの実施形態では、システムが、（例えば、一定数の隣接する価格間隔の確率差が一定量を下回るように）隣接する価格間隔の確率を自動的に同じ方向（上又は下）に調整し、（例えば、テールに向かう又は曲線の反対側の）他の価格間隔に関連する確率を逆方向に調整する。いくつかの実施形態では、ユーザが価格間隔の確率を調整する量が、非ゼロの確率を有する他の価格間隔にわたって比例的にオフセット又は再分配される。別の実施形態では、ユーザによる修正の量が、非ゼロの確率を有する価格間隔にわたって等しい量でオフセットされる。さらに他の実施形態では、ユーザが価格間隔の確率を調整する量が、価格間隔の一部（例えば、最も高い確率を有する価格間隔の一定数の１又は２以上の標準偏差内にあるもの）にわたって比例的に又は等しい量でオフセットされる。
【００４５】
さらに別の実施形態では、ユーザが、ＭＩＰＤグラフ内の複数の確率をカスタマイズすることもできる。例えば、ユーザは、グラフの一部上でマウスをアクティブにすることによってグラフを「掴み」、マウスを動かすことによって曲線の形状を変更することができる。
【００４６】
仮にユーザがＭＩＰＤグラフをカスタマイズした場合、システムは、ＭＩＰＤ及びＣＰＤグラフを自動的に再スケール調整して表示することができる。
【００４７】
システムは、元のＭＩＰＤグラフとＣＰＤグラフとを同時に表示することが好ましい。２つのグラフは、異なる色によって区別することができる。ある価格間隔上でユーザがカーソルを動かす（又は別様に選択する）と、対応するＭＩＰＤ及びＣＰＤ確率値が表示される。また、システムは、ユーザによる調整及び調整された確率範囲に基づいてグラフのスケールを自動的に調整することが好ましい。
【００４８】
システムは、各々がオプション注文の組み合わせから成る最適な又は好ましい戦略を提案することができる。ユーザは、使用したいレッグ数を選択し、「戦略を構築」ボタンをクリックする。システムは、ユーザのＣＰＤに基づいて、提案する戦略を計算して表示する。本実施形態では、システムが、ユーザの入力に基づくＣＰＤ（存在する場合）が正しいという前提で、各戦略の予想利益を最適化するように、提案する戦略を選択する。本実施形態では、これらの最適な戦略が、指定通りのレッグ数、及びシステムが設定できる、又は別の実施形態ではユーザ又はユーザの管理者が設定できる何らかの所定の限度を超えないレッグ比（すなわち、マルチレッグ取引における各レッグの値の比率）を含む考えられる注文の組み合わせを繰り返すことによって導出される。システムは、各組み合わせにつき、ユーザのＣＰＤに基づいて取引の予想利益を計算する。システムは、ＭＩＰＤの下での利益の標準偏差も計算する。これらの組み合わせは、標準偏差に対する予想利益の比率（シャープレシオと呼ばれる）に従ってソートされる。最高ランクの組み合わせのいくつかが、提案する戦略としてユーザに提示される。別の実施形態では、ユーザが、最適な戦略を決定する上でどの要素を考慮又は優先すべきかを設定することができる。
【００４９】
ユーザは、戦略の横の対応するボックスをクリックすることにより、提案された戦略を選択することができる。次に、ユーザは、戦略を構成する注文の組み合わせを修正することができる。最後に、ユーザは、「提出」ボタンをクリックすることによって注文の組み合わせを提出することができる。
【００５０】
ユーザは、戦略の潜在的損益結果、並びにデルタ、ガンマ、ベガ、セータ及びローを含む、戦略に関連する指標、或いは別の実施形態では、組み合わせの予想変動率などの他の指標のグラフィック表現をシステムに構築させて表示させることを選択することもできる。
【００５１】
ＭＩＰＤ及びＣＰＤの決定
１９７８年頃にＢｒｅｅｄｅｎ／Ｌｉｔｚｅｎｂｅｒｇｅｒが最初に提案したオプション価格設定理論における周知の公式（「ＢＬ公式」）は、行使価格に関して資産のリスク中立確率密度関数をヨーロピアンオプション価格の二次導関数に関連付けるものである。この公式は、（ヨーロピアンオプションの価格ではなく）ヨーロピアンオプションの予想変動率に関して再公式化できることも知られている。実際には、（二次導関数の計算には連続するストライクが必要であるのに対し）ストライクの離散集合しか利用できず、（この公式にはヨーロピアン価格が必要であるのに対し）ほとんどの取引所上場オプションはアメリカンであり、マーケットのオプションの価格にも（売り買いの幅及びその他の要因に起因して）ノイズが多い。そうであるにもかかわらず、当業者は確率の計算方法を知っている。
【００５２】
本発明の様々な実施形態では、このような既知の、及び今後開発される確率計算方法を使用することもできるが、本実施形態は、マーケットオプションクォートを受け取り、クォートの中間点を用いてこれらの各々を単一価格に変換する。オプションがアメリカンである場合、システムは、標準数値的手法を用いてこの価格をヨーロピアンオプションの価格に変換する。この変換は、株式配当及び金利データを利用するが、別の実施形態では他の入力を利用することができる。
【００５３】
ヨーロピアンオプション価格、及びこのようにして取得される予想変動率は、いずれもストライク全般にわたって（例えば、売り買いの幅に起因する）ノイズの多い挙動を示し、これによって確率密度関数の値がストライク全般にわたって大きくぐらつくようになる。従って、本実施形態は、フィルタを用いて予想変動率（従ってオプション価格）内のノイズを低減又は削除し、その後、システムが、上述した方法を用いて各ストライクにおける確率密度関数の近似値を計算する（利用可能なストライクが多ければ多いほど、この近似は正確になる）。
【００５４】
本実施形態では、以下を含むいくつかの公式を利用する。
【００５５】
ＭＩＰＤグラフ上に表示される確率をＡとし、ＰＤＦをＰとし、行使価格をＫとした場合、以下の公式から先物値を求めることができる。
2019050025.tif 000003
【００５６】
（本明細書で説明したように、ユーザの修正が行われた場合、システムはＡ＝１という制約を維持し）、ＰＤＦによって示唆される先物価格をＦとした場合、以下のようになる。
2019050025.tif 000004
【００５７】
以下の公式から予想変動率を求めることができる。
2019050025.tif 000005
【００５８】
予想変動率は、
2019050025.tif 000006
（Ｔは、満期日までの日数）である。
【００５９】
別の技術を使用することもできるが、本実施形態では、以下のようにして予想変動率のノイズを除去する。システムは、初期予想変動率曲線を所与とし、加重回帰を行うことによってこの曲線を二次多項式としてローカルに近似しようと試みる。隣接する各ストライクの重みは、実質的に１つの予想原資産価格変動内のストライクのみが使用されるように、現時点で予想変動率の平滑値が計算されているストライクまでの距離に関連して減少する。ストライク間隔が予想価格変動よりも大幅に小さい場合、回帰は多くのストライクを含み、ノイズは大幅に除去されるようになる。ストライク間隔が予想価格変動よりも大幅に大きい場合、２つの隣接するストライクのみが使用される（ただしこれらの場合、通常はそもそもＰＤＦに対するノイズの影響が小さい）。
【００６０】
予想原資産価格変動は、オプションの予想変動率（例えば、先物値に最も近いオプション）及び満期日までの残り時間から推定することができる。例えば、予想変動率が１％であり、オプションの満期日まで５０日である場合、パーセントで示す予想変動は約７％（或いは、予想変動率に満期日までの時間の平方根を乗算したもの）になる。予想変動を建値で取得するには、７％（又は０．０７）に原資産価格を乗算する必要がある。従って、例えば価格が＄２０である場合、予想変動は約＄１．４である。
【００６１】
マーケットにおいて利用できるストライクの範囲が比較的狭く、従って範囲内の累積確率が著しく１と異なる（例えば、実施形態によっては約＋／−０．０１の）場合もある。これらの場合、システムは、各端部における最後の利用可能なストライクの下／上にいくつかの偽の（又は人工の）ストライクを加え、その後に予想変動率を外挿して、実際のストライク及び偽のストライクについて確率密度関数を計算する。システムは、確率密度関数の値ではなく、２つの隣接するストライク間に価格が収まる確率を表示する。システムは、この確率を計算するために、ストライク間において確率密度関数の線形補間を使用する。確率は、２つのストライク間の曲線よりも下の範囲（すなわち、確率密度関数の補間値に隣接するストライクの差分、例えば＄５を乗算したもの）である。
【００６２】
偽ストライクを選択するために、まず、システムは、最も低い既存のストライクよりも下、及び最も高い既存のストライクよりも上にどれほどの確率が含まれるか、並びに先物／オプションの価格設定について曲線の残り部分（すなわち、このような最も低いストライク領域と最も高いストライク領域を超える曲線部分）を無視する誤差がどれほどであるかを求める。システムは、この誤差が無視できるようになるまで（例えば、所定の又はユーザが選択した閾値未満になるまで。例えば、１００ドルの株式の先物値の誤差が０．１セントである場合、システムはこの誤差を無視することができ、容認可能と見なすことができる）ストライクを追加し続ける。各方向において、最後の利用可能なストライクよりも高い／低い新たな（単複の）偽ストライクが追加される。
【００６３】
トレーダが、２つのストライク間の確率バーを変更すると、システムは、（１）全確率が１を保つことを保証するため、及び（２）適度な曲線形状（すなわち、確率）を維持するため、という潜在的に２つの理由で他のストライクの値を自動的に調整することができる。
【００６４】
一般に、ユーザが調整を行うと、システムは、個々のストライクの確率がいずれも０未満にならずに全ての確率の合計が確実に１になるようにし、ユーザが修正したストライクに近いいくつかの点（ユーザが修正した価格間隔の両側の１又は２以上の価格間隔の確率）をユーザの調整と同じ方向に修正し、次にユーザが調整した点及びその他の調整された点を除いて正規化サイクルを実行し、このようなその他の点を逆方向に（例えば、上述したように）調整して確率の合計が確実に１になるようにする。適度な形状を維持することに関し、当業者であれば、適度な曲線形状を維持するというのはやや主観的であり、仮に行う場合には必要に応じて異なる方法で行うこともできると理解すべきである。ユーザが２つのストライク間の確率を変更するいくつかの実施形態では、システムが、隣接するストライクの確率も調整する。一般に、１つの予想価格変動内のストライクの互いの動きは類似すると仮定され、従って２つの隣接する領域間の端部に対する価格の確率も類似すべきであるため、ユーザが変更した領域に近いストライクは、離れたストライクに比べて大きな調整を受けるようになる。例えば、株式の価値が＄１００であり、その予想変動率が２％であり、満期日まで１００日であるとする。満期日までの予想株式変動は＄２０であり、ストライク９９、１００及び１０１は非常に類似しており、従って９９及び１００間の価格の確率は、１００及び１０１間の確率と過度に異なるべきではない。これら確率が当初０．００９及び０．０１であり、ユーザがこの当初の確率を０．０４に変更したと仮定した場合、株式が１日で両方の領域を横切った時にこれらの２つの領域における確率が４倍も異なると予想するのは不合理である。隣接するストライクを調整する別の理由は、何らかの原資産が１００を超えるストライクを有している場合にこれらを全て調整するのが非常に面倒なためである。
【００６５】
１つの実施形態では、ユーザが変更したストライク（価格間隔）の両側の０．５の標準偏差が影響を受ける。これにより、満期までの時間をＴ、価格をＫとした場合、間隔は、Ｋ＊ｅｘｐ（−０．５＊ｄａｉｌｙＳｉｇｍａ＊ｓｑｒｔ（Ｔ））からＫ＊ｅｘｐ（０．５＊ｄａｉｌｙＳｉｇｍａ＊ｓｑｒｔ（Ｔ））までとなる。減衰係数を使用することもでき、１つの実施形態では、０．３などの正しく選択した係数をＡとした場合、この減衰係数が、ｅｘｐ（−Ａ＊（ｌｏｇ（ｓｔｒｉｋｅ／Ｋ）＾２／（ｄａｉｌｙＳｉｇｍａ＾２＊Ｔ））と表現される。サイクル内の残りのストライクは、確率の合計が１に等しくなるように正規化（調整）される。
【００６６】
次に、システムは、ストライク間の新たな確率を（組み合わせの計算に使用できるように）確率密度関数の新たな値に変換する。トレーダが曲線への修正（行われる場合）を終えて最良の組み合わせの計算を要求した後、システムは、マーケットインプライド分布及び修正された分布を用いてオプションの価格を計算する（例えば、ＢＬ公式の逆数を用いて、先物価格の範囲にわたる確率密度関数の積分を通じてヨーロピアンオプションの価格を表すことができ、その後に標準的な方法を用いてアメリカンオプションの価格を計算することができる）。提示すべき最良の組み合わせの検索において使用される各組み合わせにつき、これらの価格の差分に各レッグのサイズを乗算することによって利益又は損失が求められる（及び適当な場合には表示される）。
【００６７】
この「最良の」組み合わせは、いくつかの異なるパラメータ及びアルゴリズムのいずれかに従って定義し、識別することができると理解されたい。本実施形態では、満期日における組み合わせの利益率及び標準偏差又はシャープレシオに従って組み合わせがソートされる。利益は、カスタムＰＤＦ及びマーケットインプライドＰＤＦを用いて計算された価格間の差分にレッグ比を乗算したものとして計算される。システムは、利益計算に売り買いの幅も組み込むことにより、レッグがマイナスのサイズを有し、対応するオプションを売却する必要がある場合、このオプションが最悪の価格、すなわち入札価格で売却されると仮定する。システムは、早期に行使できるオプションに追加のペナルティも課す（例えば、この理由は、これが発生すると、結果として得られる組み合わせのリスク／報酬プロファイルが最初の組み合わせのものと全く異なるようになる可能性があるからである）。ここでの１つの方法は、既知の二次計画法の原理に基づくものである。しかしながら、このような方法の問題点は、離散的レッグ比では機能できず、一定限度内の複数のレッグを選択できず（例えば、５０個のレッグ又は分数のレッグサイズを有する組み合わせを見つけることはできるが、これらはいずれも現実的でないし取引所も許可しない）、複数の最良の組み合わせを生成できない点である。従って、本実施形態のアルゴリズムは、たった４つのレッグを用いてストライク及び各ストライクのサイズの全ての考えられる順列を検討することによって最良の組み合わせを検索しようと試みる。或いは、ユーザにレッグ数を入力又は選択するオプションを与えることもできる。
【００６８】
ストライクの数が比較的少ない場合、アルゴリズムは、（全ての可能性を調べ尽くすので）比較的短時間で完了して最良の組み合わせを見つけ出すが、ストライクの数が増すと所要時間も長くなり、素早い応答を確実にするためにシステムが組み合わせのいくつかを削除することもできる。最初に、システムは、順列の数が（例えば、全ての順列を検討するのにどれほどの時間が掛かるかに基づいて選択された）閾値を下回るように、いくつかの代表的な等距離のストライクを選択する。次に、システムは、選択されたストライクについて上述したような全数検索を実行し、記憶されているいくつかの（例えば３つの、ただし他のいずれかの数を使用することもできる）最良の組み合わせのリストを保持する。このステップが完了すると、システムは、組み合わせ内の全てのストライクを、（例えば、利用可能な処理能力、一定数の等式のための既知の処理時間及び／又は所望の処理時間に基づいて）例えばタスクが計算的に管理可能であるように計算された何らかの範囲内の隣接するストライクと置き換えることによって各最良の組み合わせを精密化する。組み合わせ内のストライクを別のストライクに置き換えるかどうかを検討する際には、対象のストライクのランクを考慮することができる。すなわち、このランクは、マーケット価格に対する潜在的利益の比率の絶対値に従って全てのオプションをソートすることによって事前に計算される。低ランクのオプションは、作業量を削減するために破棄される。このようにして発見された組み合わせのいくつかは、互いに非常に類似していることがある。任意に、システムは、例えばマーケットインプライド分布を用いて計算した利得が別の組み合わせの利得に非常に密接に相関する、上位に近いもののわずかに劣る組み合わせを削除することにより、類似する組み合わせを排除することができる。
【００６９】
一例として、＄２００〜＄１６００の範囲内で＄５毎に区切られたストライクを有する＄８００の株式を想定する。全体で約２８０個のストライク（及び５６０個のオプション、すなわちストライク毎にコール及びプット）が存在するようになる。−４〜４の範囲のレッグ比を有する全ての４レッグの組み合わせの全数検索を行う場合、何１０兆回もの評価が必要になり、これを既存のコンピュータ上で完了させるには長い時間が掛かり、商業的に実現可能な双方向取引ツールで受け入れられないことは確実である。従って、アルゴリズムを、例えば４０などの一定数のストライクのみを初期計算に使用するように、この例では２００、２４０、２８０などにおけるストライクとの全ての組み合わせを検討するようにプログラムすることができる。これには数億回の評価しか必要なく、既存のコンピュータ技術を用いればほんの一瞬で行うことができる。最高の組み合わせが識別されると、システムは、例えば８００のストライクを７７５、７８０、７８５、．．．８２５のいずれかに置き換え、ストライク８８０を８５５、８６０などのいずれかに置き換えることにより、各ストライクの範囲を拡大して再び検索することができる。
【００７０】
別の実施形態では、とりわけ（１）所与の原資産価格範囲内の最大損失を一定に保ちながら利益を最大化するアルゴリズム、及び（２）「ヘアカット」（すなわち、元帳に記入する必要がある担保の額）を一定に保つことによって利益を最大化するアルゴリズム、といった他のアルゴリズムを使用することができる。これらのアルゴリズム（及び別バージョンのシャープ・オプティマイザ・アルゴリズム）は、いずれも追加ロジックを含む二次計画法を用いて、組み合わせを許容できる形式（例えば、たった４つのレッグ、整数レッグ比）に変換することができる。
【００７１】
別の実施形態では、ユーザが、株式、業界又は部門についてのユーザの意見を予め設定することができる。例えば、トレーダが、エネルギー部門に負の影響を与えると思われる特定のイベントが満期日近くに発生しそうであると考えた場合、ユーザは、このトレーダの意見を反映するプリセットボタンを作成する。トレーダは、このプリセットボタンに「イベントＸリスク−エネルギー部門」と名付け、その後、このボタンに（例えば、イベントＸの結果として満期日にエネルギー株が１０％下落するであろうという）トレーダの意見を反映する対応するパーセンテージを与える。その後、トレーダは、このプリセットボタンをクリックすることにより、あらゆるエネルギー部門株の取引について、この予め設定された意見を適用できるようになる。システムは、ユーザの予め設定した意見を反映するようにＭＩＰＤグラフを自動的にカスタマイズする。
【００７２】
別の実施形態では、ユーザが、予想変動率のパーセンテージ又は先物価格を変更することによってＭＩＰＤグラフをカスタマイズすることができる。
【００７３】
さらに他の実施形態では、異なる指標を用いて最適な戦略を決定することができ、或いはユーザが設定した指標を用いて最適な戦略を決定することもできる。
【００７４】
取引例
以下、例示を目的として図４ａ〜図４ｇを参照しながら、本実施形態を用いた取引の例を示す。
【００７５】
トレーダは、Ｔｅｓｌａ  Ｍｏｔｏｒｓ社の取引記号であるＴＳＬＡを入力する。
【００７６】
トレーダは、２０１３年１１月１５日という満期日を選択する。
【００７７】
ＭＩＰＤグラフは、ＴＳＬＡが＄２１０〜＄２１５の価格帯内にあるマーケットインプライド確率が２．２４％であることを示す。
【００７８】
トレーダは、価格が＄２１０を上回る確率はゼロであると考え、これに従ってバーを設定する。
【００７９】
トレーダは、注文の組み合わせにおいて使用するレッグ数を選択する。
【００８０】
トレーダは、２つのレッグを選択し、次に「戦略を構築」ボタンをクリックする。
【００８１】
３つの戦略が表示される。トレーダは、第１の戦略：２０１３年１１月１５日＋（２）２１５−（１）１８５コール・ベアスプレッドを選択する。
【００８２】
トレーダは、以下のように戦略の要素を見直す。
レッグ１：売却１  ＴＳＬＡ  ＯＰＴ  ２０１３年１１月１５日  １８５コール（１００）
レッグ２：購入２  ＴＳＬＡ  ＯＰＴ  ２０１３年１１月１５日  ２１５コール（１００）
【００８３】
トレーダは、ＬＭＴ（指値注文）を選択し、「提出」ボタンをクリックして注文を提出する。
【００８４】
以下、「吹き出し」内に説明文を示す次の８つの一般的動作（１〜８）を示すグラフィカルユーザインターフェイスを含む図７を参照しながら、別の実施形態について説明する。
【００８５】
１．ユーザが、ストックティッカー（ＡＡＰＬ）を入力し、満期日（２０１４年２月２１日）を選択する。マーケットが定める確率分布（ＰＤ）が構築され、ＭＩＰＤグラフが表示される。
【００８６】
２．ユーザは、マウスを用いていずれかの価格間隔内のバーを「掴む」ことによってＭＩＰＤグラフをカスタマイズすることができ、例えばバーを引き上げると、指定した満期日に株式価格がその価格間隔内で終わる確率が高くなることを反映することができる。ユーザは、バーを引き下げると、指定した満期日に株式価格がその価格間隔内で終わる確率が低くなることを反映することができる。上述した実施形態と同様に、最終的に全確率は１．００になるので、ユーザは、いずれかの価格間隔に変更を加えると他の確率レベルが調整されるのを確認することができる。
【００８７】
ユーザは、値の近くの上下矢印アイコンを用いて、或いは分布グラフ内で手のアイコンを左右にドラッグすることによって確率を調整することもできる。
【００８８】
３．ユーザは、ＣＰＤに満足すると、所望のパラメータを指定し、オプション戦略において望まれる最小レッグ数を選択し、戦略構築ボタン／入力をクリックする。
【００８９】
現在のポジションをロール  −  本実施形態では、ユーザの現在のポジションが原株にある場合、ユーザは、システムが原資産における現在のポジションを戦略に含むようにする「現在のポジションをロール」入力を選択することができる。戦略構築モジュールは、選択されたポジションからユーザを取り除く戦略を作成しようと試みる。選択された満期日前に期限切れするポジションのみが表示され、２つのポジションのみをロールすることができる。ユーザが定義した最大レッグ数が少なすぎる場合には調整される。ここでは、この機能を「現在のポジションを組み込む」機能と併用することはできない。
【００９０】
現在のポジションを組み込む  −  ユーザは、戦略の構築に用いる計算に原資産内の現在のポジションを含めるために「現在のポジションを組み込む」機能を選択することができる。この戦略が作成されると、システムは、「現在のポジション」機能のチェックを付ける／外すことにより、選択された現在のポジションを含めた状態及び含めない状態の両方で戦略のデータを見る選択肢をユーザに提供する。
【００９１】
デルタニュートラル  −  ユーザは、デルタニュートラルな戦略のみを構築（又は提示）するために「デルタニュートラル」機能を選択することができる。
【００９２】
株式レッグを含める  −  ユーザは、戻された戦略に原株をレッグとして含めるために「株式レッグを含める」機能を選択することができる。
【００９３】
戦略スキャナパネルは、ユーザのＣＰＤを補完する３つの潜在的な組み合わせオプション戦略を表示する。セレクタは、各戦略について（及びＣＰＤに基づいて）、予想利益、（結果の予想変動率に対する予想利益の比率を示す）シャープレシオ、ネットデビット又はクレジット、パーセント収益見込み、最大潜在損益及び損失、その関連する確率、並びに戦略を取引するための委託保証金を表示する。
【００９４】
４．ユーザは、注文を作成するために（戦略スキャナにおいて）所望の戦略を選択する。ユーザは、戦略成果グラフ内の色分けされた表現を見るために戦略をチェックする。
【００９５】
確率基準  −  ユーザは、ドロップダウンセレクタを用いて（例えば、マーケットインプライド確率分布又はカスタマイズされた確率分布の）計算のための確率基準を選択することができる。
【００９６】
現在のポジション  −  ユーザは、戦略構築時に現在のポジションを含めることを選択した場合、確率基準ドロップダウンリストの隣に表示される現在のポジションチェックボックスを用いて、原資産における現在のポジションを含めた状態及び含めない状態の両方で（成果詳細グラフ内のＰ＆Ｌ及び戦略スキャナ内のデータ点を含む）データを表示する選択肢を有する。含める場合はチェックを付け、含めない場合はチェックを外す。
【００９７】
５．ユーザは、戦略調整／注文入力パネルにおいて、修正を望むレッグ内のフィールドをクリックすることによって戦略のいずれか１つ又は２つ以上の部分を調整することができる。ユーザは、あらゆるレッグについて、処理、比率、満期日、ストライク又はタイプを修正することができる。
【００９８】
６．レッグが定められると、ユーザは、注文入力列を用いていずれかの注文パラメータを修正する。ユーザは、高度注文エリアを用いてヘッジ株式注文を作成し、アイスバーグ及び全か無かを含む注文属性を追加することができる。
【００９９】
７．注文の送信準備が整うと、ユーザは、提出ボタン／入力をクリックする。
【０１００】
８．戦略成果詳細グラフを用いて、予測が正確な場合に選択した取引から生じると思われる予想損益、及び各適正価格に対応する関連確率を確認する。ユーザは、ドロップダウンリストを用いて、デルタ、ガンマ、ベガ、セータ又はローを表示する選択を行うこともできる。
【０１０１】
本発明の基本的な新規の特徴を本発明の例示的な実施形態に適用した形で図示し説明したが、本発明の思想から逸脱することなく、本発明の開示した実施形態の形態及び詳細の省略、置換及び変更を当業者によって行うことができると理解されるであろう。この点、実施形態は例示にすぎず、様々な特徴及び実装の組み合わせ、置換及び／又は修正を行うことができると理解されたい。
【符号の説明】
【０１０２】
１００  システム
１０５  バックエンドサーバ
１１０  （単複の）確率モジュール
１１２  （単複の）グラフ生成モジュール
１１４  （単複の）戦略生成モジュール
１１６  （単複の）戦略成果モジュール
１１８  （単複の）注文生成モジュール
１２０  （単複の）スマートルータモジュール
１２５  ＤＢ
１３０  トレーダ端末
１４０  電子マーケット
１５０  マーケットデータプロバイダシステム
【図１】
2019050025.tif 000007
【図２】
2019050025.tif 000008
【図３】
2019050025.tif 000009
【図４Ａ】
2019050025.tif 000010
【図４Ｂ】
2019050025.tif 000011
【図４Ｃ】
2019050025.tif 000012
【図４Ｄ】
2019050025.tif 000013
【図４Ｅ】
2019050025.tif 000014
【図４Ｆ】
2019050025.tif 000015
【図４Ｇ】
2019050025.tif 000016
【図４Ｈ】
2019050025.tif 000017
【図５Ａ】
2019050025.tif 000018
【図５Ｂ】
2019050025.tif 000019
【図５Ｃ】
2019050025.tif 000020
【図５Ｄ】
2019050025.tif 000021
【図５Ｅ】
2019050025.tif 000022
【図５Ｆ】
2019050025.tif 000023
【図５Ｇ】
2019050025.tif 000024
【図６】
2019050025.tif 000025
【図７】
2019050025.tif 000026
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
インプライド確率分布を適用して、ユーザがカスタマイズできる電子注文を生成するためのコンピュータ実装方法であって、
１又は２以上の電子データプロバイダから原資産のオプションの価格を電子的に受け取るステップと、
１又は２以上のプロセッサを使用し、前記オプションの価格に基づいて、先物期日時点における前記原資産の価格のマーケットインプライド確率分布を計算するステップと、
前記マーケットインプライド確率分布（ＭＩＰＤ）をユーザコンピュータ装置のグラフィカルユーザインターフェイス上に表示するステップと、
前記グラフィカルユーザインターフェイスから前記ＭＩＰＤの少なくとも一部を修正するユーザ入力を受け取るステップと、
１又は２以上のプロセッサを用いて、前記ユーザ入力に基づくカスタマイズされた確率分布（ＣＰＤ）を生成するステップと、
前記ＣＰＤを表示するステップと、
１又は２以上のプロセッサを用いて、前記ＣＰＤに基づき、複数の要素取引を含む１又は２以上の取引戦略を生成するステップと、
前記１又は２以上の取引戦略を前記ユーザに提示するステップと、
前記取引戦略のうちの１つの取引戦略の選択を受け取るステップと、
前記選択された戦略の前記要素取引のための電子注文を１又は２以上の電子マーケットに対して開始するステップと、
を含むことを特徴とする方法。